(57)【特許請求の範囲】
【請求項１】
一方の形式の嵌合式コネクタ部を有する板状の電子デバイス構体を嵌合せしめるための他方の形式の嵌合式コネクタ部を電子デバイス構体挿入用開口の奥部に持つ電子デバイス構体収納機構において、
適用される上記電子デバイス構体の当該コネクタ部への挿脱方向と略々直交する方向に延長されるようにして、上記電子デバイス構体挿入用開口近傍に配された案内部材と、
上記電子デバイス構体挿入用開口が形成された面と同一面上に操作部が配置され、上記案内部材に案内されて該案内部材の上記延長方向に沿って摺動変位可能になされたイジェクト操作部材と、
上記電子デバイス構体の挿脱方向に沿って移動可能に支持されていて、上記電子デバイス構体の後端部に当接して押し出す支持台と、
上記イジェクト操作部材の摺動変位に連動して上記支持台を上記電子デバイス構体が当該コネクタ部から脱出される方向へ変位するようにする変位変換部材と、
を備えてなることを特徴とする電子デバイス構体収納機構。
【請求項２】
上記イジェクト操作部材は、矩形状の上記電子デバイス構体挿入用開口の長手方向に沿って摺動変位可能に上記案内部材によって案内されており、また、上記変位変換部材は、上記支持台に他端部が回動自在に軸支され、上記イジェクト操作部材に一端部が回動自在に軸支されているリンク部材であることを特徴とする請求項１に記載の電子デバイス構体収納機構。
【発明の詳細な説明】
【０００１】
【産業上の利用分野】
この発明は、電子デバイス構体収納機構、詳しくは電子的撮像装置等に使用するＩＣメモリカード等の電子デバイス構体の挿脱を行なう電子デバイス構体収納機構に関するものである。
【０００２】
【従来の技術】
従来より、電子的撮像装置等においては、撮像された画像データ等を格納するために、例えば、電子デバイス構体としてＩＣメモリカード等が一般的に適用されている。
【０００３】
すなわち、従来の一般的な電子的撮像装置等においては、該装置本体内に上記ＩＣメモリカード等を収納するカードスロット等が配設されており、このカードスロット等の内部に上記ＩＣメモリカード等が挿入されるようになっている。このとき、該ＩＣメモリカード等のコネクタ部と上記カードスロット等の内部に設けられたコネクタ部とが接続されることにより、上記電子的撮像装置等によって撮像された画像データ等が上記ＩＣメモリカード等に格納されるようになっている。さらに、上記ＩＣメモリカード等に格納された画像データ等は、上記電子的撮像装置等を介して、例えば、テレビモニタ、ビデオカメラ、ビデオプリンタ等の装置等に出力することができるようになっている。
【０００４】
そして、上記ＩＣメモリカード等のコネクタ部と上記電子的撮像装置等のカードスロット内のコネクタ部との接続は、上記電子的撮像装置等におけるカードスロット等の内部に配設されている電子デバイス構体収納機構であるＩＣメモリカードイジェクト装置等によって、自由に挿脱することができるようになっている。
【０００５】
そこで、上記ＩＣメモリカードイジェクト装置において、上記ＩＣメモリカード等のコネクタ部と、上記電子的撮像装置等のカードスロット等の内部のコネクタ部との間の接続を、容易に挿脱するようにした機構が、従来より、種々提案されまた実用化されている。
【０００６】
例えば、図１７、図１８に、従来のＩＣメモリカードイジェクト装置の機構について、その概略斜視図を例示すると共に、その構成および動作について、以下に簡単に説明する。
【０００７】
まず、図１７に例示する従来のＩＣメモリカードイジェクト装置の着脱機構、すなわち、イジェクタ本体１００は、ベース部１０２と、このベース部１０２に対して、図１７において矢印Ａに沿う方向に摺動自在に配設されている支持台１０３等によって構成されており、この支持台１０３の摺動方向および摺動範囲は、上記ベース部１０２に固設されている少なくとも２つのピン１１１が、上記支持台１０３のガイド溝１１２に係合することによって規制されるようになっている。
【０００８】
また、上記支持台１０３の長孔１０９内には、リンク部材１０６の回転軸となる軸部１０８が上記ベース部１０２に固設されて配置されており、上記リンク部材１０６は、この軸部１０８を中心として回動自在となっている。そして、上記リンク部材１０６の一端部には、回動支点１０７を介してイジェクト操作部材５が回動自在に軸支されており、また、その他端部には、上記支持台１０３に穿設された孔１０３Ａの一方の内壁に係止すべく、係止爪１０６Ａが上記リンク部材１０６から切り起こして設けられている。
【０００９】
さらに、上記支持台１０３の後端側の幅方向の両端部には、爪部１０４が設けられている。この爪部１０４は、上記イジェクタ本体１００内に上記ＩＣメモリカード１０１が収納される際において、上記ＩＣメモリカード１０１の後端部を支持するようになっている。
【００１０】
そして、上記イジェクタ本体１００内に収納された上記ＩＣメモリカード１０１の後端部のコネクタ部（図示せず）が、上記イジェクタ本体１００の内部の最後端部に配設されているコネクタ部１１０に挿入されることで、上記ＩＣメモリカードイジェクト装置が配設されている上記電子的撮像装置等と上記ＩＣメモリカード１０１とが接続されるようになっている。
【００１１】
このように構成された上記従来のイジェクタ本体１００において、上記ＩＣメモリカード１０１を挿入する場合には、上記ＩＣメモリカード１０１を、図１７において矢印Ａに沿う方向に挿入する。そして、上記ＩＣメモリカード１０１の後端部のコネクタ部を、上記イジェクタ本体１００のコネクタ部１１０に向けて押し込むことで挿入し、これにより、上記ＩＣメモリカード等と上記電子的撮像装置等とが電気的にも接続される。
【００１２】
また、上記ＩＣメモリカード１０１をイジェクトする場合には、上記イジェクト操作部材１０５を、図１７において矢印Ｂ方向に押し込むことで、上記リンク部材１０６が、上記軸部１０８を中心に、図１７において反時計方向に回動するので、これに伴って、上記リンク部材１０６の係止爪１０６Ａが孔１０３Ａの内壁である作用部１０３Ｂに係止して、上記支持台１０３と、これに支持されて収納されている上記ＩＣメモリカード１０１とが、そのイジェクト方向、つまり、図１７において矢印Ａに沿う方向へと摺動する。
【００１３】
これによって、上記イジェクタ本体１００のコネクタ部１１０と上記ＩＣメモリカード１０１のコネクタ部との間の接続が解除されて、上記ＩＣメモリカード１０１を、上記イジェクタ本体１００内より取り外すことができる。
【００１４】
一方、図１８に例示する従来の別のＩＣメモリカードイジェクト装置の着脱機構、すなわち、イジェクタ本体１００Ａは、上述の図１７に例示したイジェクタ本体１００と、基本的に同様に構成されており、支持台１０３Ａ、イジェクト操作部材１０５Ａ、リンク部材１０６Ａ等の配置が若干異なるのみであるので、上述の従来例と異なる部材について、以下に説明するものとし、同様の部材については同じ符号を付してその説明を省略する。なお、この図１８においては、上記ＩＣメモリカード１０１が上記ＩＣメモリカードイジェクト装置内に挿入されている状態を示している。
【００１５】
図１８に示すように、上記ＩＣメモリカード１０１が挿入されている状態において、イジェクト操作部材１０５Ａを、図１８において矢印Ｂ方向に摺動させることで、リンク部材１０６Ａがその回動支点１０７を中心として、図１８において時計方向に回動する。これによって、上記支持台１０３Ａは、上記イジェクト操作部材１０５Ａと同方向、すなわち、上記Ｂ方向に摺動するので、上記ＩＣメモリカード１０１は、上記支持台１０３Ａの後端部の爪部１０４によって押し出されるようになっている。
【００１６】
従って、上記ＩＣメモリカード１０１のコネクタ部と、上記イジェクタ本体１００Ａのコネクタ部１１０との間の接続が解除されて、上記ＩＣメモリカード１０１を、上記イジェクタ本体１００内より取り外すことができるようにされている。
【００１７】
ところで、電子的撮像装置等においては、撮像された画像データ等を格納する上記電子デバイス構体であるＩＣメモリカード等を、上記装置本体内部に収納するために、上記電子デバイス構体収納機構であるＩＣメモリカードイジェクト装置等を含み、複数のカードスロット等を配設するようにしたものが考えられる。
【００１８】
例えば、図１９は、電子的撮像装置等の筐体１２０の内部に、上記複数のカードスロット等を配設した場合を想定したものである。すなわち、上記電子的撮像装置等の筐体１２０の内部に、上記複数のカードスロット等を配設し、このカードスロット等の挿入用開口１２１を、上記筐体１２０の側面部もしくは背面部等に設けるようにしたものである。そして、上記カードスロット等の内部において、上記ＩＣメモリカード等のコネクタ部に適合するコネクタ部等を設けることで、上記カードスロット等の内部に上記ＩＣメモリカード等が挿入された際に、上記コネクタ部同士が嵌合されるようにしたものである。
【００１９】
また、図２０は、上述の図１９に示す電子的撮像装置等について、若干の変更を加えた別の例である。これは、筐体１２０Ａの一端部に蓋体１２２を配設することで、上記カードスロット等の挿入用開口１２１を覆うようにした場合の例示であって、この蓋体１２２を設けることによって、上記筐体１２０Ａ内部を、外部より遮断することで装置内部に対して、例えば、塵芥等の侵入を防止するようにしたものである。
【００２０】
【発明が解決しようとする課題】
ところが、上記図１７において例示した従来の手段によれば、上記イジェクト操作部材１０５のストローク量、すなわち、上記ＩＣメモリカード１０１をイジェクトさせるための動作範囲量を多く必要とする場合には、上記イジェクト操作部材１０５の装置外側面からの突出量が大きくなってしまうと共に、上記イジェクト操作部材１０５の押圧量が増大することとなるので、操作性が良くないという問題点がある。
【００２１】
また、上記図１８において例示した従来の手段によれば、上記リンク部材１０６Ａの操作軌跡が、挿入される上記ＩＣメモリカード１０１の平面に対して円弧形状となるために、操作性が悪くなってしまうという問題点がある。
【００２２】
そして、上述の図１９において例示したものによれば、上記電子的撮像装置等の筐体１２０内に上記ＩＣメモリカード等を収納するカードスロット等の挿入用開口１２１が、外部に対して開放されているために、例えば、塵芥等が入り易い状態となり、上記カードスロット等の内部に配設されるコネクタ部等に対して悪影響を与えてしまうという問題点がある。
【００２３】
また、上記図２０において例示したものによれば、上記カードスロット等の挿入用開口１２１を覆うようにして蓋体１２２を配設したので、上記筐体１２０Ａの内部への塵芥等が侵入するという心配は緩和されるが、上記蓋体１２２は、上記複数のカードスロット等のすべての挿入用開口１２１を覆うようになっているので、例えば、上記ＩＣメモリカード等を挿脱するたびに、上記蓋体１２２の開閉動作を行なって、すべてのカードスロット等の挿入用開口１２１を開放しなければならず、この開放時において、使用しないカードスロット等に対して塵芥等が侵入してしまう可能性があるという問題点は解消されていない。
【００２４】
さらに、上記図１９、図２０に例示したものにおいては、上記複数のカードスロット等のために設けられている挿入用開口１２１は１つだけであるので、例えば、図２１に示すように、上記ＩＣメモリカード１０１等を空きスロット等に対して挿入する場合に、挿入する上記ＩＣメモリカード１０１等の両端部が、それぞれ隣り合う別々のカードスロット等に設けられているリブ等からなるガイド部１２３に挿入してしまう等の誤挿入が生じてしまうという可能性が考えられる。
【００２５】
また、上記電子的撮像装置等に対して、例えば、ＩＣメモリカード、または、電子デバイス構体の一例であるＩ／Ｏカード等を接続するためのそれぞれ専用のカードスロット等が設けられている場合には、この専用カードスロット等に対して誤ったカード、機器等の電子デバイス構体を挿入してしまうという可能性が生じるという問題点もある。
【００２６】
本発明の目的は、上記従来の問題点を解消し、上記ＩＣメモリカード等の電子デバイス構体の挿脱を行なう電子的撮像装置等の電子デバイス構体収納機構において、より操作性に優れた電子デバイス構体収納機構を提供するものである。
【００２８】
【課題を解決するための手段】
本発明による電子デバイス構体収納機構は、一方の形式の嵌合式コネクタ部を有する板状の電子デバイス構体を嵌合せしめるための他方の形式の嵌合式コネクタ部を電子デバイス構体挿入用開口の奥部に持つ電子デバイス構体収納機構において、適用される上記電子デバイス構体の当該コネクタ部への挿脱方向と略々直交する方向に延長されるようにして、上記電子デバイス構体挿入用開口近傍に配された案内部材と、上記電子デバイス構体挿入用開口が形成された面と同一面上に操作部が配置され、上記案内部材に案内されて該案内部材の上記延長方向に沿って摺動変位可能になされたイジェクト操作部材と、上記電子デバイス構体の挿脱方向に沿って移動可能に支持されていて、上記電子デバイス構体の後端部に当接して押し出す支持台と、上記イジェクト操作部材の摺動変位に連動して上記支持台を上記電子デバイス構体が当該コネクタ部から脱出される方向へ変位するようにする変位変換部材とを備えてなることを特徴とする。
【００２９】
上記イジェクト操作部材は、矩形状の上記電子デバイス構体挿入用開口の長手方向に沿って摺動変位可能に上記案内部材によって案内されており、また、上記変位変換部材は、上記支持台に他端部が回動自在に軸支され、上記イジェクト操作部材に一端部が回動自在に軸支されているリンク部材であることを特徴とする。
【００３３】
【作  用】
上記構成においては、適用される電子デバイス構体のコネクタ部への挿脱方向と略々直交する方向に延長されるようにして電子デバイス構体挿入用開口近傍に配された案内部材によってイジェクト操作部材を案内し、該案内部材の延長方向に沿って摺動変位させる。このイジェクト操作部材の摺動変位に連動して、変位変換部材が電子デバイス構体の後端部に当接して押し出す支持台を電子デバイス構体が当該コネクタ部から脱出される方向へ変位させる。
【００３４】
上記変位変換部材は、上記イジェクト操作部材に一端部が回動自在に軸支され、上記支持台に他端部が回動自在に軸支されたリンク部材で形成されていて、イジェクト操作部材の摺動変位に連動して変位する。
【００３５】
【実施例】
以下、図示の実施例によって本発明を説明する。
図１は、本発明の第１実施例の電子デバイス構体収納機構の概略を示す外観斜視図であって、上記電子デバイス構体収納機構内にはＩＣメモリカード等の電子デバイス構体が収納されていない状態を示している。
【００３６】
図１に示すように、この第１実施例における電子デバイス構体収納機構である上記ＩＣメモリカードイジェクト装置の着脱機構を形成するイジェクタ本体０は、これに挿入される電子デバイス構体である上記ＩＣメモリカード等を案内するガイド部材を兼ねたベース部２と、このベース部２に対して、図１において矢印Ａに沿う方向に摺動自在に設けられ、変位変換部材を形成する支持台３等によって構成されている。
【００３７】
上記ベース部２の内壁面には、その内部に向けて少なくとも２本のピン１１が固設されており、この２本のピン１１は、それぞれ上記支持台３の平面部に穿設された２つのガイド溝１２に係合している。そして、上記支持台３が、図１において矢印Ａに沿う方向に摺動する際に、上記２本のピン１１がガイド溝１２に沿って摺動することで、上記支持台３の摺動動作をガイドするようになっていると共に、上記支持台３の摺動する方向および摺動する範囲とが規制されるようになっている。
【００３８】
また、上記支持台３の前方側の略中央部には、作用ピン８が固植されており、この作用ピン８には、上記変位変換部材を形成するリンク部材６の一端部が回動自在に軸支されており、このリンク部材６の他端部が、イジェクト操作部材５（後述する。）の一端部に回動自在に軸支されている。
【００３９】
そして、上記リンク部材６の中程の前方側に寄った位置には、付勢手段である付勢バネ１３の一端部が係合されており、この付勢バネ１３の他端部は、上記ベース部２の固定部材に係合されている。そして、上記付勢バネ１３によって上記リンク部材６は、ＩＣメモリカード等が挿入される際の挿入方向と直交する方向に、常に付勢されている。
【００４０】
一方、上記支持台３の後端側の幅方向における両端部には、爪部４が設けられている。この爪部４は、上記イジェクタ本体０内にＩＣメモリカード等が収納される際において、このＩＣメモリカード等の後端部を支持するために設けられている支持部材であり、また、上記ＩＣメモリカード等をイジェクトする際においては、上記爪部４がＩＣメモリカード等の後端部に当接し、これを押し出すようになっている。
【００４１】
そして、上記イジェクタ本体０内に収納されるＩＣメモリカード等の後端部に配設されているコネクタ部（図示せず）が、上記イジェクタ本体０の電子デバイス構体挿入用開口の奥部に配設されているコネクタ部１０と嵌合することによって、上記イジェクタ本体０が配設されている電子的撮像装置等の電気回路（図示せず）と、上記ＩＣメモリカード等とが接続されるようになっている。
【００４２】
他方、上記イジェクト操作部材５は、上記ベース部２の前方側、つまり、ＩＣメモリカード等の挿入用開口近傍の案内部材であるガイド部１４上に配設されており、図１において矢印Ｂ方向に摺動操作されるようになっている。また、上述のように、上記イジェクト操作部材５は、上記リンク部材６の他端部に回動自在に軸支されているので、このリンク部材６を付勢する上記付勢バネ１３によって、上述の矢印Ｂ方向とは逆方向に、常に付勢されている。
【００４３】
なお、上記イジェクト操作部材５は、上記ベース部２のストッパー部材（図示せず）によって、上記付勢バネ１３による矢印Ｂ方向の逆方向への摺動動作が規制されるようになっているので、上記イジェクト操作部材５が所定量以上、摺動しないようにもなっている。
【００４４】
このように構成された上記第１実施例のＩＣメモリカードイジェクト装置の着脱機構において、その動作を以下に説明する。
【００４５】
図２は、上記イジェクタ本体０内にＩＣメモリカード等が挿入されている際の着脱機構の状態を示しており、図３は、上記イジェクタ本体０からＩＣメモリカード等をイジェクトする際の着脱機構の状態を示している。なお、この図２、図３においては、図面の繁雑化を防止するためにＩＣメモリカード等を二点鎖線によって図示すると共に、動作の説明に直接関係のない部材については省略している。
【００４６】
まず、上記イジェクタ本体０内からＩＣメモリカード１等がイジェクトされる際の動作を簡単に説明すると、図２に示す状態において、上記イジェクト操作部材５をガイド部１４に沿って矢印Ｂ方向に摺動させることにより、上記リンク部材６を介して上記支持台３が、上記矢印Ｂ方向とは略垂直方向である矢印Ａに沿う方向に摺動し、図３に示す状態へと移行する。これによって、上記イジェクタ本体０内に収納されているＩＣメモリカード１等がイジェクトされることとなる。
【００４７】
さらに、上記ＩＣメモリカードイジェクト装置の着脱機構の動作について詳しく説明すると、まず、図１、図２に示すように、上記ＩＣメモリカードイジェクト装置内にＩＣメモリカード１等を挿入する場合には、上記ＩＣメモリカード１等を、図１、図２において矢印Ａに沿う方向に摺動させることで挿入する。すると、上記ＩＣメモリカード１等の後端部が上記爪部４に当接し、これに支持されて上記支持台３と共に、上記ＩＣメモリカードイジェクト装置内に収納される。そして、上記ＩＣメモリカード１等の後端部のコネクタ部が、上記イジェクタ本体０のコネクタ部１０へと挿入されて嵌合する。
【００４８】
また、上記ＩＣメモリカード１等をイジェクトする場合には、図１、図３に示すように、上記イジェクト操作部材５を上記付勢バネ１３の付勢力に抗して、図１において矢印Ｂ方向に摺動移動させることにより、上記リンク部材６が上記作用ピン８を中心にして、図１において反時計方向に回動する。これに伴って、上記支持台３がイジェクト方向、すなわち、図１における矢印Ａに沿う方向へと摺動するので、上記支持台３の爪部４が上記ＩＣメモリカード１等の後端部に当接し、これを押し出すこととなる。
【００４９】
これによって、上記イジェクタ本体０のコネクタ部１０と上記ＩＣメモリカード１等のコネクタ部との間の嵌合が解除され、上記ＩＣメモリカード１等は、上記イジェクタ本体０内より離脱される。
【００５０】
このとき、上記ＩＣメモリカード１等が上記イジェクタ本体０の外部へと完全にイジェクトされた時点において、上記付勢バネ１３の付勢力によって上記イジェクト操作部材５は、上記ＩＣメモリカード１等が挿入される際の初期位置へと復帰することとなる。
【００５１】
なお、図４は、上記ＩＣメモリカードイジェクト装置のイジェクト操作時における、上記イジェクト操作部材（５，１０５）の操作量と操作力量との関係を示すグラフである。
【００５２】
すなわち、図４において、縦軸には、上記イジェクト操作部材（５，１０５）に対する操作力量と、上記電子的撮像装置等のＩＣメモリカードイジェクト装置内のコネクタ部と上記ＩＣメモリカード等のコネクタ部との嵌合力との間の比を示しており、また、横軸には、上記ＩＣメモリカードイジェクト装置のイジェクト操作時における上記イジェクト操作部材（５，１０５）の操作量を示して、その関係を表わしているものである。なお、この図４においては、上記コネクタ部における嵌合長さを５ｍｍとした場合を例示している。
【００５３】
また、図４においては、破線で示す曲線によって、例えば、上述の図１７において例示した従来のイジェクト装置のデータを示し、また、実線による曲線によって、上記第１実施例によるイジェクト装置のデータを示している。
【００５４】
図４に示すように、上記従来のイジェクト装置において、上記イジェクト操作部材（１０５）の操作量を、例えば、１０ｍｍとした場合には、上記イジェクト操作部材（１０５）に対する操作力量は、上記コネクタ部の嵌合力の０．５倍であるが、上記第１実施例のイジェクト装置によれば、上記イジェクト操作部材（５）の操作量を同様に１０ｍｍとした場合には、上記イジェクト操作部材（５）に対する操作力量は、上記コネクタ嵌合力の０．４倍となり、このデータは、上記従来のイジェクト装置によるデータより約８割程度低い値となる。
【００５５】
また、図５は、上記ＩＣメモリカードイジェクト装置のイジェクト操作時における上記イジェクト操作部材（５，１０５）の操作力量の変化を示すグラフであって、縦軸には、その操作力量Ｆを示し、横軸にはその操作量を示している。なお、コネクタ嵌合力Ｆ０、コネクタ嵌合長さδとする。
【００５６】
そして、図５において、破線で示す直線によって、例えば、上述の図１７において例示した従来のイジェクト装置のデータを示し、実線による４本の曲線によって、上記第１実施例のイジェクト装置のデータを示している。
【００５７】
図５に示すように、上記従来のイジェクト装置において、コネクタ嵌合長さδの２倍の操作量２δで、上記イジェクト操作部材（１０５）によるイジェクト操作を行なう場合には、コネクタ嵌合力Ｆ０の１／２（０．５倍）の操作力量０．５Ｆ０が必要となる一方、上記第１実施例のイジェクト装置においては、同様に操作量２δとした場合には、コネクタ嵌合力量Ｆ０の約０．３９倍の操作力量０．３９Ｆ０で、上記ＩＣメモリカード１等をイジェクトすることができる。
【００５８】
また、同様に上記コネクタ嵌合長さδの３倍の操作量３δとなった場合には、上記従来のイジェクト装置では、コネクタ嵌合力量Ｆ０の約１／３の操作力量０．３３Ｆ０が必要なのに対して、上記第１実施例のイジェクト装置によれば、コネクタ嵌合力量Ｆ０の約０．２６倍の操作力量０．２６Ｆ０で、上記ＩＣメモリカード１等をイジェクトすることができる。
【００５９】
つまり、上記従来のイジェクト装置によれば、例えば、操作量２δの場合における操作力量Ｆの変化は、まず最初にコネクタ嵌合力Ｆ０の１／２の操作力量０．５Ｆ０がかかり、上記ＩＣメモリカード１等が引き抜かれるに従って、操作力Ｆが減少し、上記ＩＣメモリカード１等のイジェクト完了時において、操作力量Ｆ０＝０となるような直線を描く一方、上記第１実施例のイジェクト装置によれば、同様に操作量２δの場合における操作力量の変化は、まず最初は操作力量Ｆ＝０から徐々に増加して、約１．３４δの点において最大値（ｍａｘ）０．３９Ｆ０の操作力量となり、その後は徐々に減少し、最後に操作力量Ｆ＝０となるような曲線を描くこととなる。
【００６０】
すなわち、上述のように、例えば、操作量２δの場合の操作力量Ｆのそれぞれのピーク点（最大値；ｍａｘ）は、上記従来のイジェクト装置によれば、０．５Ｆ０であるのに対し、上記第１実施例のイジェクト装置によれば、そのピーク点が移動すると共に０．３９Ｆ０となる。
【００６１】
以上説明したように上記第１実施例によれば、上記イジェクト操作部材５の操作方向を、上記ＩＣメモリカード１等の挿入方向と略垂直方向、すなわち、ＩＣメモリカードイジェクト装置の操作面と同一面上において摺動するようにしたので、上記イジェクト操作部材５が上記ＩＣメモリカードイジェクト装置の操作面より突出することなく配置することができると共に、より少ない操作量で上記ＩＣメモリカード等をイジェクトさせることができる。また、これと同時に、上記ＩＣメモリカード等のイジェクト状態を観察しながら操作することができるので、操作性の向上に寄与することができる。
【００６２】
図６は、本発明の第２実施例の電子デバイス構体収納機構の概略を示す外観斜視図である。この第２実施例においては、上述の第１実施例と基本的に同様の構成からなっており、上述の第１実施例とはイジェクト操作部材等の配置が若干異なるのみである。従って、上述の第１実施例と同様の部材については、同じ符号を付してその説明は省略する。
【００６３】
図６に示すように、この第２実施例の電子デバイス構体収納機構であるＩＣメモリカードイジェクト装置の着脱機構を形成するイジェクタ本体０Ａは、上述の第１実施例のイジェクタ本体０と同様に、これに挿入されるＩＣメモリカード等をガイドするためのガイド部材を兼ねたベース部２Ａと、このベース部２Ａに対して、図６において矢印Ａに沿う方向に摺動自在に設けられた支持台３Ａ等によって構成されている。
【００６４】
上記支持台３Ａは、図６において矢印Ａに沿う方向に摺動される際に、上記ベース部２Ａに設けられた２本のピン１１が、上記支持台３Ａのガイド溝１２に沿って摺動することで、上記支持台３の摺動動作をガイドするようになっていると共に、上記支持台３Ａの摺動する方向と摺動する範囲とが規制されるようになっている。
【００６５】
また、上記支持台３Ａの前方側の略中央部に固植された作用ピン８によって、リンク部材６Ａの一端部が回動自在に軸支されている一方、このリンク部材６Ａの他端部は、イジェクト操作部材５Ａの一端部に回動自在に軸支されている。
【００６６】
上記イジェクト操作部材５Ａは、上記イジェクタ本体０Ａの前方側、つまり、上記ＩＣメモリカードの挿入用開口側において、このＩＣメモリカード等の挿入方向に対して直交する方向に摺動自在に配設されている。そして、このイジェクト操作部材５Ａの一端部と上記ベース部２Ａの内壁面との間において、上記イジェクト操作部材５Ａに沿う方向に、付勢手段である付勢バネ１３Ａの両端部がそれぞれ係合されて配設されている。
【００６７】
そして、上記イジェクト操作部材５Ａは、上記付勢バネ１３Ａによって上記ＩＣメモリカード等の挿入方向と直交する方向、すなわち、図６において矢印Ｃ方向に向けて常に付勢されている。なお、上記イジェクト操作部材５Ａは、上記ベース部２Ａのストッパー部材（図示せず）によって、上記付勢バネ１３Ａによる矢印Ｃ方向への摺動動作が規制されるようになっているので、上記イジェクト操作部材５Ａが所定量以上、突出しないようにもなっている。
【００６８】
このように構成された上記第２実施例のＩＣメモリカードイジェクト装置の着脱機構の動作を、以下に説明する。
【００６９】
上記イジェクタ本体０Ａ内にＩＣメモリカード等が収納されている場合において、上記イジェクト操作部材５Ａを上記付勢バネ１３Ａの付勢力に抗して、図６において矢印Ｂに沿う方向に押し込むと、上記イジェクト操作部材５Ａの摺動動作に伴って、上記リンク部材６Ａは、図６において時計方向に回動し、上記支持台３Ａを、図６における矢印Ａに沿う方向、すなわち、上記イジェクタ本体０Ａの前方側に向けて摺動させる。
【００７０】
従って、上記イジェクタ本体０Ａ内に収納されている上記ＩＣメモリカード等の後端部が、上記支持台３の爪部４に当接し、これに押し出されることで、上記ＩＣメモリカード等のコネクタ部が、上記イジェクタ本体０Ａのコネクタ部１０から離脱して、上記ＩＣメモリカード等がイジェクトされることとなる。
【００７１】
なお、上述の第１実施例と同様に、上記ＩＣメモリカード等が上記イジェクタ本体０Ａの外部へと完全に離脱した時点において、上記イジェクト操作部材５Ａは上記付勢バネ１３Ａの付勢力によって、上記ＩＣメモリカード等が挿入される際の初期位置へと復帰する。
【００７２】
以上説明したように上記第２実施例によれば、上述の第１実施例と全く同様の効果を得ることができる。
【００７３】
図７は、上述の第１実施例のＩＣメモリカードイジェクト装置を、例えば、携帯型の電子的撮像装置等に適用した場合を例示する外観斜視図である。この図７においては、図面の繁雑化を避けるために、上記電子的撮像装置等の筐体内に上記ＩＣメモリカードイジェクト装置が配置されている状態のみを図示し、他の構成部材については省略して図示している。
【００７４】
図７に示すように、上記ＩＣメモリカード等は、電子的撮像装置等のファインダー２１の設けられている筐体２０の背面側の同一面上に挿入されるようになっており、このＩＣメモリカード等が挿入される面と同一面上に配設されたイジェクト操作部材５を、図７において矢印Ｂ方向に摺動させることにより、上記ＩＣメモリカードイジェクト装置内に収納されているＩＣメモリカード等を、図７において矢印Ａに沿う方向にイジェクトするようになっている。
【００７５】
このように、上記第１実施例のＩＣメモリカードイジェクト装置を、例えば、携帯型の電子的撮像装置等に適用した場合においては、上記イジェクト操作部材５が上記電子的撮像装置等の筐体面状から極端に突出しないように配置することができるので、例えば、上記ファインダー２１の下部にイジェクト操作部材５を配置するようにしても撮影時に上記ファインダー２１を覗くに際して、撮影者の顔等が上記イジェクト操作部材５に当たって邪魔になることがなく、特に小型の携帯型電子的撮像装置等においては、より良好な操作性を得ることができる。
【００７６】
なお、上記図７においては、上述の第１実施例のイジェクト装置を、電子的撮像装置等に適用した場合の例を示しているが、同様に上述の第２実施例のイジェクト装置を適用するようにしても、全く同様である。なお、この場合においては、上記イジェクト装置のＩＣメモリカード等の挿入用開口を、上記電子的撮像装置等の筐体の側面部に配設し、上記イジェクト操作部材５Ａを上記電子的撮像装置等の筐体２０の背面側に配置するようにすれば、同様に操作性の向上に寄与することができる。
【００７７】
次に、上記電子的撮像装置等において、上記電子デバイス構体収納機構等を含み、ＩＣメモリカードないしその他の電子デバイス構体挿入用の開口部が複数設けられ、開口部毎に適合する電子デバイス構体の類型を異にする電子デバイス構体において、上記開口部に対して開口部閉塞用の蓋体を設け、これにより、塵芥等の侵入を防止するための機構について、以下の実施例によって説明する。
【００７８】
図８〜図１０は、本発明の第３実施例を示す図であって、図８は、電子的撮像装置等のカードスロット等の挿入用開口の付近を示す概略斜視図である。また、図９は、上記図８に示す電子的撮像装置等のカードスロット等の挿入用開口の形状を示す概略斜視図であり、図１０は、上記図８に示す電子的撮像装置等のカードスロット等の挿入用開口に配設される蓋体およびその開閉機構部を取り出して示した要部斜視図である。なお、この第３実施例は、主に上記カードスロット等の挿入用開口の形状およびこの挿入用開口付近に配置する機構についての発明であるので、図面の繁雑化を避けるために、この第３実施例に直接関連のない部材については、その図示を省略している。
【００７９】
図８、図９に示すように、この第３実施例の電子的撮像装置等の筐体２０Ａ内には、上記ＩＣメモリカードイジェクト装置を含み、ＩＣメモリカード等を収納する複数のカードスロット等が配設されている。この複数のカードスロット等の開口部である挿入用開口２１が、上記電子的撮像装置等の側面部に設けられている。そして、上記挿入用開口２１を覆うように、開口部閉塞用の蓋体２２Ａ，２２Ｂがそれぞれ配設されており、この蓋体２２Ａ，２２Ｂは、上記筐体２０Ａの内壁面側の固定部材に軸支された軸等によって、上記挿入用開口２１に対して回動自在に設けられている。
【００８０】
図１０に示すように、上記蓋体２２Ａ，２２Ｂは、それぞれの一端側の両端部を軸２３Ａ，２３Ｂによって、図１０において矢印Ａに沿う方向に回動自在に軸支されており、この軸２３Ａ，２３Ｂは、上記電子的撮像装置等の筐体２０Ａの内壁面側の固定部材２４Ａ，２４Ｂに回動自在に軸支されている。
【００８１】
また、上記軸２３Ａ，２３Ｂには、それぞれ付勢バネ２５Ａ，２５Ｂが巻回されており、その一端部が上記蓋体２２Ａ，２２Ｂに係合されている。これにより、上記蓋体２２Ａ，２２Ｂは、上記筐体２０Ａの挿入用開口２１を上記筐体２０Ａの内側から覆うように、常に付勢されている。
【００８２】
図８より、特に明らかな通り、上記蓋体２２Ａ，２２Ｂの外部側の面上には、それぞれのカードスロット等に対応するタイプ（類型）、例えば、上記ＩＣメモリカード、Ｉ／Ｏカード等の電子デバイス構体に対応するコネクタタイプ等が表示されており、上記ＩＣメモリカード等の類型（タイプ）などを表示する表示板ともなっている。
【００８３】
一方、上記電子的撮像装置等の筐体２０Ａの側面部に設けられる上記挿入用開口２１の形状は、図９に示すように、上記複数のカードスロット等のそれぞれの数に対応するように、位置規制手段である分離部材３０によって分離されている。そして、この分離部材３０によって分離された挿入用開口２１の各区画は、上記蓋体２２Ａ，２２Ｂに表記されているタイプ別に、その形状を異なるように形成されるようになっている。これによって、例えば、上記蓋体２２Ａ，２２Ｂの面上に表記されたカードスロット等のコネクタタイプ等と異なるタイプのＩＣメモリカード等を誤って挿入してしまうといった、誤挿入等を防止するようになっている。
【００８４】
なお、上記分離部材３０は、図９に示すように、上記電子的撮像装置等の筐体２０Ａの側壁面と一体的に構成してもよく、また、筐体２０Ａとは別の部材によって、構成するようにしても同様である。さらに、上記分離部材３０を特別に設けずに、上記蓋体２２Ｂを回動自在に軸支する軸２３Ｂを分離部材として兼用しても同様である。
【００８５】
このように構成された上記第３実施例において、上記カードスロット等の挿入用開口に設けられた蓋体を開閉させて、ＩＣメモリカード等を挿脱する際の動作を、以下に説明する。
【００８６】
図１１は、上記電子的撮像装置等の筐体２０Ａ内に配設されたカードスロット等の周辺を側面から見た際の断面図であり、図１２は、上記図１１の電子的撮像装置等のカードスロット等の挿入用開口付近を前方側から見た際の概略斜視図である。
【００８７】
図１１，図１２に示すように、上記電子的撮像装置等の筐体２０Ａの側面部に設けられた挿入用開口２１から、上記カードスロット等の内部に向けて、例えば、上記ＩＣメモリカード３１、Ｉ／Ｏカード３２等が挿入されると、上記挿入用開口２１を上記筐体２０Ａの内側から覆うように設けられた上記蓋体２２Ａ，２２Ｂが、これを軸支する軸２３Ａ，２３Ｂを中心にして上記付勢バネ２５Ａ，２５Ｂの付勢力に抗して、図１１においてそれぞれ反時計方向に回動し開状態となる。このとき、上記蓋体２２Ａ，２２Ｂは、上記ＩＣメモリカード３１、Ｉ／Ｏカード３２等が挿入されることで開状態となるのと同時に、該ＩＣメモリカード３１、Ｉ／Ｏカード３２等自体によって、上記挿入用開口２１はそれぞれ塞がれている状態、つまり、閉状態を保持していることとなる。
【００８８】
さらに、上記カードスロット等の内部に向けて上記ＩＣメモリカード３１、Ｉ／Ｏカード３２等を摺動させて挿入し、該ＩＣメモリカード３１、Ｉ／Ｏカード３２等の後端部のコネクタ部を、上記カードスロット内部に設けられているコネクタ部１０に嵌合させて、上記ＩＣメモリカード３１、Ｉ／Ｏカード３２等と上記電子的撮像装置等との接続を行なう。
【００８９】
そして、上記相互のコネクタ部が接続されて、上記カードスロット等の内部に上記ＩＣメモリカード３１、Ｉ／Ｏカード３２等が完全に収納された時点においては、上記蓋体２２Ａ，２２Ｂは、上記付勢バネ２５Ａ，２５Ｂの付勢力によって、上記ＩＣメモリカード３１、Ｉ／Ｏカード３２等の上面側に当接する方向に付勢されている状態となっているが、上記挿入用開口２１は、それぞれ挿入されたメモリカード３１、Ｉ／Ｏカード３２等によって塞がれた状態が保持されている。
【００９０】
つまり、図１１，図１２においては、上部側のカードスロット内に上記ＩＣメモリカード３１等が挿入され、また、下部側のカードスロット内には上記Ｉ／Ｏカード３２等が挿入されている状態を示している。
【００９１】
このとき、上記下部側の蓋体２２Ｂは、上記Ｉ／Ｏカード３２の上面部に当接し上記挿入用開口２１を開状態とされているが、上記挿入用開口２１は上記Ｉ／Ｏカード３２等自体によって塞がれており、上記挿入用開口２１を開放状態とせず、かつ、上記Ｉ／Ｏカード３２のケーブル部が上記蓋体２２Ｂに挟まれてしまうようなこともない。
【００９２】
また、図１１に示すように、上記ＩＣメモリカードイジェクト装置等は上記蓋体２２Ａ，２２Ｂの回動半径外に配置されるようになっているので、この蓋体２２Ａ，２２Ｂが回動する際において、該蓋体２２Ａ，２２Ｂの一端部が上記電子的撮像装置等の筐体２０Ａ内に配設される上記ＩＣメモリカードイジェクト装置等と干渉することもない。
【００９３】
以上説明したように上記第３実施例によれば、上記カードスロット等の挿入用開口２１に対して、上記蓋体２２Ａ，２２Ｂをそれぞれ配設するようにしたので、上記カードスロット等の未使用時、すなわち、空きスロットがある場合においても、その内部を外部に対して開放状態とすることがなく、従って、上記カードスロット等の内部に、例えば、塵芥等が侵入することを防止することができる。
【００９４】
また、上記ＩＣメモリカード３１、Ｉ／Ｏカード３２等が挿入されると同時に、該ＩＣメモリカード３１、Ｉ／Ｏカード３２等自体によって、上記挿入用開口２１が塞がれるようになっているので、上記カードスロット等に対して上記ＩＣメモリカード３１等を挿脱する動作中においても、塵芥等の侵入を防止することができる。
【００９５】
そして、上記カードスロット等の内部に上記ＩＣメモリカード３１、Ｉ／Ｏカード３２等がそれぞれ挿入されている状態においては、収納されている該ＩＣメモリカード３１等自体によって上記挿入用開口２１を塞ぎ、上記蓋体２２Ａ，２２Ｂは開状態を保持するようにしたので、上記ＩＣメモリカード３１等の一端部が、外部から観察することができ、従って、上記カードスロット等が使用状態にあるか、もしくは未使用状態であるか、つまり、空きスロットであるかどうかの判別を、目視のみによって容易に行なうことができる。
【００９６】
また、上記蓋体２２Ａ，２２Ｂには、このカードスロット等に挿入されるべきＩＣメモリカード等のコネクタタイプ等を表記すると共に、上記分離部材３０によって、上記挿入用開口２１を各カードスロット等に対応する区画に分離させて、各区画を上記タイプ別にその形状を異なるようにしたので、任意の上記カードスロット等に対応しないＩＣメモリカード等の誤挿入を防止することができる。
【００９７】
図１３は、上記第３実施例の変形例を示す電子的撮像装置等の筐体内におけるカードスロット等の付近の概略斜視図である。この変形例においては、上記カードスロット等が配設されている付近に重ねるようにして、上記電子的撮像装置等の筐体内に配設する機器であって、着脱することのない機器である、例えば、ハードディスク装置等を配設する場合を例示したものである。
【００９８】
すなわち、図１３に示すように、上記電子的撮像装置等の筐体２０Ｂの側面部に設けられた挿入用開口２１には、上記第３実施例と同様に、これを覆うようにして蓋体２２Ａ，２２Ｂが設けられており、この挿入用開口２１を分離する分離部材の後方に、ハードディスク装置２６等の固定機器を配置するようにしたものである。
【００９９】
このような構成とすることによって、上述の第３実施例と全く同様の効果を得ることができると共に、上記ＩＣメモリカード、Ｉ／Ｏカード等の着脱自在に配設される外部記憶装置等に関連する機器に対応するコネクタ部と、上記ハードディスク装置等の着脱することのない固定式の外部記憶装置等に関連する機器に対応するコネクタ部とを、上記電子的撮像装置等の筐体２０Ｂ内において、その同一箇所に並べて配置することができるので、上記電子的撮像装置等の筐体２０Ｂの内部における電気回路等の配置を、簡潔にまたスペース効率良く整理することができる。
【０１００】
図１４、図１５、図１６は、上記第３実施例の別の変形例を示す電子的撮像装置等の筐体内におけるカードスロット等の挿入用開口付近を示す図であって、図１４は、その前面側から見た際の概略斜視図であり、図１５は、その後方側から見た際の概略斜視図の透視図であり、また、図１６は、その側方から見た際の断面図である。
【０１０１】
図１４、図１５、図１６に示すように、上記電子的撮像装置等の筐体２０Ａ内に配設される上記カードスロット等の挿入用開口２１を、分離部材３０Ａによって上記複数のカードスロット等に対応する各区画に分離するようにしたものである。これにより、上記挿入用開口２１は、上側挿入用開口２１Ａと下側挿入用開口２１Ｂとにそれぞれ分離されている。
【０１０２】
上記分離部材３０Ａは、上記カードスロット等の内部に配設される上記ＩＣメモリカードイジェクト装置等における前端部に、近接もしくは当接する位置まで延出されており、例えば、Ｌ字形状の部材によって形成されている。
【０１０３】
また、この変形例においては、上記下側挿入用開口２１Ｂを覆うように配設されている蓋体２２Ｂｂは、下側を回動中心としている点において、上述の第３実施例と異なっている。つまり、上記蓋体２２Ａは、上述の第３実施例と同様に配設されている一方、上記蓋体２２Ｂｂは、上記下側挿入用開口２１Ｂｂの下部側において軸２３Ｂｂに回動自在に軸支されている。
【０１０４】
これによって、上記カードスロット等に対して、上記ＩＣメモリカード等が挿入される場合には、上記蓋体２２Ａは、図１６において上記軸２３Ａを中心として反時計方向に回動される一方、上記蓋体２２Ｂｂは、図１６において上記軸２３Ｂｂを中心として時計方向に回動されることとなる。
【０１０５】
このように構成することによって、上述の第３実施例と全く同様の効果を得ることができると共に、分離部材３０Ａによって各カードスロット等に対応するように、上記挿入用開口２１を、例えば、上側および下側挿入用開口２１Ａ，２１Ｂというように分離したので、各カードスロット等に対するＩＣメモリカード等の誤挿入を未然に防止することができる。
【０１０６】
また、上記分離部材３０Ａの形状をＬ字形状として、上記カードスロット等の内部のＩＣメモリカードイジェクト装置に近接若しくは当接する位置まで延出するように配置したので、上記ＩＣメモリカード等を上記挿入用開口２１より挿入する際に、よりスムーズに挿入することができる。
【０１０７】
【発明の効果】
以上説明したように本発明によれば、上記ＩＣメモリカード等の電子デバイス構体の挿脱を行う電子的撮像装置等の電子デバイス構体収納機構であるＩＣメモリカードイジェクト装置において、リンク部材を用いることによりイジェクト操作を行うイジェクト操作部材の装置自体からの突出量を少なくすると共に、該イジェクト操作部材の動作量を少なくすることによって、より操作性に優れた電子デバイス構体収納機構を提供することができる。
【図面の簡単な説明】
【図１】本発明の第１実施例の電子デバイス構体収納機構（ＩＣメモリカードイジェクト装置の着脱機構）の概略を示す外観斜視図。
【図２】上記図１のイジェクト装置の動作を示す概略図。
【図３】上記図１のイジェクト装置の動作を示す概略図。
【図４】上記図１のイジェクト装置におけるイジェクト操作時のイジェクト操作部材の操作量と操作力量との関係を示すグラフ。
【図５】上記図１のイジェクト装置におけるイジェクト操作時のイジェクト操作部材のの操作力量の変化を示すグラフ。
【図６】本発明の第２実施例の電子デバイス構体収納機構（ＩＣメモリカードイジェクト装置の着脱機構）の概略を示す外観斜視図。
【図７】上記図１の電子デバイス構体収納機構（ＩＣメモリカードイジェクト装置）を携帯型の電子的撮像装置等に適用した場合を例示する外観斜視図。
【図８】本発明の第３実施例を示す図であって、電子的撮像装置等のカードスロットの挿入用開口付近を示す概略斜視図。
【図９】上記図８の電子的撮像装置等のカードスロット等の挿入用開口の形状を示す概略斜視図。
【図１０】上記図８の電子的撮像装置等のカードスロット等の挿入用開口に配設される蓋体およびその開閉機構部を取り出して示した要部斜視図。
【図１１】上記図８の装置においてカードスロット等の挿入用開口の蓋体を開閉し、ＩＣメモリカード等を挿入する際の動作示す図であって、上記カードスロット等の周辺を側面から見た際の断面図。
【図１２】上記図１１の装置のカードスロット等の挿入用開口付近を前方側から見た際の概略斜視図。
【図１３】上記第３実施例の変形例を示す電子的撮像装置等の筐体内におけるカードスロット等の付近の概略斜視図。
【図１４】上記第３実施例の別の変形例を示す電子的撮像装置等の筐体内におけるカードスロット等の挿入用開口付近を示す図であって、前面側から見た際の概略斜視図。
【図１５】上記図１４の装置の後方側から見た際の概略斜視図の透視図。
【図１６】上記図１４の装置の側方から見た際の断面図。
【図１７】従来の電子デバイス構体収納機構（ＩＣメモリカードイジェクト装置の着脱機構）を示す概略斜視図。
【図１８】従来の別の電子デバイス構体収納機構（ＩＣメモリカードイジェクト装置の着脱機構）を示す概略斜視図。
【図１９】従来の電子的撮像装置等の筐体内に複数のカードスロット等を配設した場合を例示する概略斜視図。
【図２０】上記図１９の電子的撮像装置等のカードスロット等の挿入用開口に蓋体を配設した場合を例示する概略斜視図。
【図２１】上記図１９のカードスロット等に対するＩＣメモリカード等の誤挿入動作を例示する概略斜視図。
【符号の説明】
０，０Ａ，１００，１００Ａ……イジェクタ本体
１，３１，１０１……ＩＣメモリカード（電子デバイス構体）
２，１０２……ベース部
３，３Ａ，１０３，１０３Ａ……支持台（変位変換部材）
５，５Ａ，１０５，１０５Ａ……イジェクト操作部材
６，６Ａ，１０６，１０６Ａ……リンク部材（変位変換部材）
１３，１３Ａ……付勢バネ（付勢手段）
１４……ガイド部（案内部材）
２１，２１Ａ，２１Ｂ……挿入用開口
２２Ａ，２２Ｂ，２２Ｂｂ……蓋体（開口部閉塞用蓋体）
３０，３０Ａ……分離部材（位置規制手段）
【図１】
0003623264.tif 000002
【図２】
0003623264.tif 000003
【図３】
0003623264.tif 000004
【図４】
0003623264.tif 000005
【図５】
0003623264.tif 000006
【図６】
0003623264.tif 000007
【図７】
0003623264.tif 000008
【図８】
0003623264.tif 000009
【図９】
0003623264.tif 000010
【図１０】
0003623264.tif 000011
【図１１】
0003623264.tif 000012
【図１２】
0003623264.tif 000013
【図１３】
0003623264.tif 000014
【図１４】
0003623264.tif 000015
【図１５】
0003623264.tif 000016
【図１６】
0003623264.tif 000017
【図１７】
0003623264.tif 000018
【図１８】
0003623264.tif 000019
【図１９】
0003623264.tif 000020
【図２０】
0003623264.tif 000021
【図２１】
0003623264.tif 000022